(57)【要約】【課題】洋上風力発電設備から発声する騒音を低減する。【解決手段】本発明に係る海中騒音低減方法は、少なくとも下部が海底に設置可能であって上部が海底から海上に延在する水生生物５０によって洋上風力発電設備１０から発生する騒音を低減する。【選択図】図１
2020193603.tif 000002
【特許請求の範囲】
【請求項１】
少なくとも下部が海底に設置可能であって上部が海底から海上に延在する水生生物によって、洋上風力発電設備から発生する騒音を低減する海中騒音低減方法。
【請求項２】
前記水生生物を海底に設置された前記洋上風力発電設備の周囲に移植する請求項１に記載の海中騒音低減方法。
【請求項３】
前記下部が海底に埋設されている前記水生生物の群落の周囲に前記洋上風力発電設備を設置する請求項１に記載の海中騒音低減方法。
【請求項４】
前記水生生物の高さよりも高い側面を備え海底に設置可能な網状部材を、前記洋上風力発電設備を包囲するように前記水生生物の周囲に設置する請求項１〜３のいずれか１項に記載の海中騒音低減方法。
【請求項５】
前記水生生物を前記洋上風力発電設備の周囲に移植する場合において、
前記水生生物を載置可能な設置部材の上に移植する請求項１〜４のいずれか１項に記載の海中騒音低減方法。
【請求項６】
請求項１〜５のいずれか１項に記載の海中騒音低減方法に用いられ、海底において前記水生生物の周囲に設置可能な設置部材。
【発明の詳細な説明】
【技術分野】
【０００１】
本発明は、海中騒音低減方法及び設置部材に関する。
【背景技術】
【０００２】
風力発電は、火力発電のように二酸化炭素といった温室効果ガスを必要としないことから環境に優しいだけでなく、燃料なども必要としないため、我が国の海域の洋上に設置することが積極的に検討されている。一方、洋上風力発電の１つには騒音問題が挙げられる。風力発電の騒音を低減させる従来の技術には例えば風力発電のブレードの表部材と裏部材とにそれぞれ凹凸を設けたものが開示されている。
【先行技術文献】
【特許文献】
【０００３】
【特許文献１】特開２０１５−７５０６２号公報
【発明の概要】
【発明が解決しようとする課題】
【０００４】
本発明者らは、洋上風力発電設備から発生する騒音を低減する技術について鋭意研究している。
【０００５】
そこで本発明は、洋上風力発電設備から発声する騒音を低減する海中騒音低減方法及び設置部材を提供することを目的とする。
【課題を解決するための手段】
【０００６】
上記目的を達成する本発明に係る海中騒音低減方法は、少なくとも下部が海底に設置可能であって上部が海底から海上に延在する水生生物によって洋上風力発電設備から発生する騒音を低減する。また、本発明の一態様は、上記騒音低減方法に用いられ、海底において上記水生生物の周囲に設置可能な設置部材である。
【発明の効果】
【０００７】
本発明に係る騒音低減方法及び設置部材によれば、洋上風力設備による騒音を低減することができる。
【図面の簡単な説明】
【０００８】
【図１】本発明の第１実施形態に係る海中騒音低減システムを示す斜視図である。
【図２】図１に係る海中騒音低減システムを示す正面図である。
【図３】図１に係る海中騒音低減システムを示す平面図である。
【図４】本発明の第２実施形態に係る海中騒音低減システムを示す斜視図である。
【図５】図４に係る海中騒音低減システムを示す正面図である。
【図６】図４に係る海中騒音低減システムを示す平面図である。
【図７】本発明の第３実施形態に係る海中騒音低減システムを示す斜視図である。
【図８】図７に係る海中騒音低減システムを示す正面図である。
【図９】図７に係る海中騒音低減システムを示す平面図である。
【発明を実施するための形態】
【０００９】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。なお、以下では海等の水面に沿う面をＸＹ平面と記載する。また、ＸＹ平面に直交する高さ方向を高さ方向Ｚと記載する。また、洋上風力発電設備１０の支柱４０の周方向又は角度方向を周方向θとする。また、洋上風力発電設備１０の支柱４０の径方向又は放射方向を径方向ｒとする。
【００１０】
（第１実施形態）
図１〜図３は、本発明の第１実施形態に係る海中騒音低減システムの説明に供する図である。
【００１１】
本実施形態に係る海中騒音低減システム１００は、洋上風力発電設備１０と、水生生物５０と、設置部材６０と、を有する。
【００１２】
（洋上風力発電設備）
洋上風力発電設備１０は、洋上風力発電設備として洋上に吹く風を動力源としてエネルギーの生成を行う。洋上風力発電設備１０は、図１に示すようにブレード２０と、回転軸３０と、支柱４０と、を備える。
【００１３】
ブレード２０は、回転軸３０を中心として風を受けることによって回転可能に構成している。ブレード２０は本実施形態において回転軸３０の周囲に３つ略等間隔に設けるように構成している。ただし、風力発電ができればブレードの具体的な形状や個数、及び配置は図１等に限定されない。
【００１４】
回転軸３０は、ブレード２０を回転可能に支持している。回転軸３０は、ナセル、動力伝達軸などとも呼ばれる。回転軸３０の内部には不図示の増速機、発電機、ブレーキ装置、変圧器等を収容することができる。支柱４０は、回転軸３０及びブレード２０を支持するように構成している。
【００１５】
水生生物５０は、海底に棲息する生物であり、本実施形態では洋上風力発電設備１０から発生する海中騒音を低減するために使用される。水生生物５０は、高さ方向Ｚから平面視した際に洋上風力発電設備１０の周囲の海底に配置されることによって洋上風力発電設備１０から発生する海中騒音を低減する。水生生物５０は、特に限定されないが、一例としてアマモやホンダワラ等を挙げることができる。
【００１６】
設置部材６０は、洋上風力発電設備１０の周囲に設置された水生生物５０が海流等によって掘られる（洗掘される）ことを防止する。設置部材６０は、海底において水生生物５０の周囲に設置可能に構成している。設置部材６０は、水生生物５０の海流による洗掘を防止できれば特に限定されないが、一例として天然の岩やコンクリートブロック等を挙げることができる。
【００１７】
（海中騒音低減方法）
次に本実施形態に係る海中騒音低減方法について説明する。本発明者らは、洋上風力発電設備１０から発生する海中騒音を低減させるために海底に存在する水生生物を利用することに着目した。上述したアマモやホンダワラ等の水生生物は、洋上風力発電設備１０を基点として高さ方向Ｚから平面視した際に径方向ｒの外方に騒音が拡散する際の遮音壁として機能させることができる。
【００１８】
ここで、本実施形態に係る海中騒音低減方法は、予め海底に水生生物５０の下部が設置（埋設）され、上部が海上に延在した状態で水生生物５０の近傍に洋上風力発電設備１０を設置することを含む。また、本実施形態に係る海中騒音低減方法は、洋上風力発電設備１０が予め設置された状態において水生生物５０を洋上風力発電設備１０の周囲に移植する場合をも一実施形態として含む。
【００１９】
このように構成することによって洋上風力発電設備１０から発生する海中騒音を低減させることができる。
【００２０】
また、本実施形態に係る海中騒音低減方法は上述のように水生生物５０を海底に設置された洋上風力発電設備１０の周囲に移植することによって実現することができる。
【００２１】
また、海中騒音低減方法は、下部が海底に設置されている水生生物５０の群落の周囲に洋上風力発電設備１０を設置することによっても実現することが出来る。
【００２２】
海中騒音低減方法では海底に水生生物の周囲に設置部材６０を設置するように構成している。このように構成することによって水流により水生生物が洗掘されることを防止又は抑制し、海中騒音低減効果の維持に寄与することができる。
【００２３】
（第２実施形態）
次に第２実施形態に係る海中騒音低減システム１００ａについて説明する。図４〜図６は本発明の第２実施形態に係る海中騒音低減システム１００ａの説明に供する図である。第２実施形態では第１実施形態に係る海中騒音低減システムに加えて網状部材７０を設置している点が第１実施形態と異なる。そのため、第１実施形態と共通する構成の説明を省略する。
【００２４】
網状部材７０は、海底に立ち上がるように配置している。網状部材７０は、水生生物５０の高さよりも高い側面を備え海底に設置可能に構成している。本実施形態において網状部材７０は、設置部材６０から不図示の糸などで括りつけることによって立ち上げられた状態を維持するように構成している。
【００２５】
網状部材７０は、洋上風力発電設備１０を包囲するように水生生物５０の周囲に設置するように構成している。網状部材７０を海底に設置することによって、網状部材７０に水生生物５０が自生することが期待できる。設置部材６０の周囲の海底に水生生物５０を設置するだけでなく網状部材７０に水生生物５０を自生させることによって水生生物５０の数を増やし、海中騒音の低減効果を向上させることができる。
【００２６】
網状部材７０は、従来公知のものを用いることができる。網状部材７０は、本実施形態において高さ方向Ｚから平面視した際に設置部材６０の外方において周方向θに１０個略等間隔で配置している。ただし、洋上風力発電設備１０の周囲に水生生物５０を生やすことができれば、網状部材の数や配置間隔は図４等に限定されない。
【００２７】
（第３実施形態）
次に第３実施形態に係る海中騒音低減システムについて説明する。第３実施形態に係る海中騒音低減システム１００ｂは、水生生物５０と設置部材６０の配置が第１実施形態と異なっており、その他の構成は同様であるため、その他の説明を省略する。
【００２８】
設置部材６０は、第１実施形態と同様に天然の岩やコンクリートブロック等のように構成し、洋上風力発電設備１０の周囲に配置している。設置部材６０は、水生生物５０を上部に載置可能に構成している。
【００２９】
水生生物５０は、洋上風力発電設備１０の周囲に移植する場合において設置部材６０の上に載置するように構成している。そのため、本明細書において水生生物５０が海底から海上に延在する（以下、上記記載と言う）とは、人為的な処理が施されていない状態の海底から水生生物５０が海上に延在する場合を含む。また、上記記載は、図７に示すように設置部材６０等によって高さが人為的に上昇した状態の海底から水生生物５０が海上に延在する場合（図７参照）をも含む。
【００３０】
このように構成することによって、水生生物５０を海面まで可能なかぎり長く延在させて遮音壁の高さを高くすることによって海中騒音低減効果を向上させることができる。
【符号の説明】
【００３１】
１００、１００ａ、１００ｂ  海中騒音低減システム、
１０  洋上風力発電設備、
２０  ブレード、
３０  回転軸、
４０  支柱、
５０  水生生物、
６０  設置部材、
７０  網状部材、
ｒ  径方向（放射方向）、
Ｚ  高さ方向、
θ  周方向（角度方向）。
【図１】
2020193603.tif 000003
【図２】
2020193603.tif 000004
【図３】
2020193603.tif 000005
【図４】
2020193603.tif 000006
【図５】
2020193603.tif 000007
【図６】
2020193603.tif 000008
【図７】
2020193603.tif 000009
【図８】
2020193603.tif 000010
【図９】
2020193603.tif 000011